(57)【要約】【課題】本発明は、撮影装置に関するもので、映された本人の満足度を高めることを目的とするものである。【解決手段】この目的を達成するために本発明は、使用者１６が玄関内側１で撮影装置４に内蔵された監視カメラ１２の前に立つと、監視カメラ１２近傍に取付けた監視対象物検出センサーによって投射器１４が起動され、監視カメラ１２によって撮影した映像が玄関内側１の床面１５に投射される。そして、撮影ボタン１９を押すことにより、床面１５に投射される映像がサーバーに伝送され、サーバー側でアルバムの自動作成が行われる。【選択図】図１
2013038751.tif 000002
【特許請求の範囲】
【請求項１】
取付ベースと、前記取付ベースに装着された本体ケースと、前記本体ケースまたは前記取付ベースに装着された監視カメラ、投射器および監視対象物検出センサーと、前記監視カメラ、前記投射器、および前記監視対象物検出センサーに接続した制御部とを備え、前記制御部により前記監視カメラで撮影した監視対象物の映像を前記投射器から投射させるとともに、前記制御部は前記本体ケース外に設けられた撮影ボタンからの信号を受信した場合に、前記監視カメラで撮影した監視対象物の映像を前記本体ケース内に設けた送信部から前記本体ケース外に送信するように制御する撮影装置。
【請求項２】
前記取付ベースに対して前記本体ケースを可動自在に装着するとともに、前記本体ケースを前記取付ベースに対して可動させる可動手段を設け、前記監視カメラ、前記投射器および前記監視対象物検出センサーは前記本体ケースに装着した請求項１に記載の撮影装置。
【請求項３】
前記取付ベースに対して前記本体ケースを回転自在に装着した請求項２に記載の撮影装置。
【請求項４】
前記監視カメラを、前記監視対象物検出センサーで検出した監視対象物方向に向けて可動させる可動手段を設けた請求項１ないし請求項３のいずれかに記載の撮影装置。
【発明の詳細な説明】
【技術分野】
【０００１】
本発明は、例えばアルバム作成等に用いる撮影装置に関するものである。
【背景技術】
【０００２】
学校生活や日常生活等の映像をアルバム化する従来の撮影装置は、監視カメラで取得した映像内に、登録済みの人物が存在するか、否かを検出し、登録済みの人物が存在する場合には、その登録済み人物の映像を集め、アルバム化する構成となっていた（例えば下記特許文献１）。
【先行技術文献】
【特許文献】
【０００３】
【特許文献１】特開２００９−８８６８７号公報
【発明の概要】
【発明が解決しようとする課題】
【０００４】
上記従来例においては、監視用として設置した監視カメラの映像から、登録した特定人物のアルバムを自動的に作成することが出来るので、極めて利便性の高いものであった。
【０００５】
しかしながら、アルバム中に掲載された映像は、登録された人物が気づかぬうちに撮影されたものであるので、うつむいていたり、顔を背けていたりすることも多く、それがアルバム化されたときには、必ずしも映された本人、あるいはそれを見る人物にとって満足できるものにならないことが多かった。
【０００６】
そこで、本発明は、映された本人、あるいはそれを見る人物の満足度を高めることを目的とするものである。
【課題を解決するための手段】
【０００７】
そして、この目的を達成するために本発明は、取付ベースと、この取付ベースに装着された本体ケースと、この本体ケースまたは前記取付ベースに装着された監視カメラ、投射器および監視対象物検出センサーと、これらの監視対象物検出センサー、監視カメラ、および投射器に接続した制御部とを備え、前記制御部により、監視カメラで撮影した監視対象物の映像を、投射器から投射させる構成とするとともに、前記制御部には、前記監視カメラで撮影した監視対象物の映像を、前記本体ケース内に設けた送信部から、前記本体ケース外に送信する撮影ボタンを、電気的に結合させ、これにより所期の目的を達成するものである。
【発明の効果】
【０００８】
以上のように本発明は、取付ベースと、この取付ベースに装着された本体ケースと、この本体ケースまたは取付ベースに装着された監視カメラ、投射器および監視対象物検出センサーと、これらの監視対象物検出センサー、監視カメラ、および投射器に接続した制御部とを備え、制御部により、監視カメラで撮影した監視対象物の映像を、投射器から投射させる構成とするとともに、制御部には、監視カメラで撮影した監視対象物の映像を、本体ケース内に設けた送信部から、本体ケース外に送信する撮影ボタンを、電気的に結合させたものであるので、映された本人、あるいはそれを見る人物の満足度の高いものとすることができる。
【０００９】
すなわち、本発明においては、監視カメラで捉えた映像は投射器から投射させるので、この投射器から投射された映像が気に入った場合には、例えば、映された本人自身が撮影ボタンを押せば、その映像が本体ケース内に設けた送信部から、本体ケース外の例えば記録手段に送信されるものとなる。
【００１０】
つまり、本人の満足度の高い映像が本体ケース内に設けた送信部から、本体ケース外の例えば記録手段に送信されるので、そこから作成されるアルバムなどは当然のこととして、満足度の高いものなるのである。
【００１１】
また、監視カメラとして動作している状況において、不審者は投射器から投射させる自分の映像を見ることで、監視されている実態を知り、不正行為を思い止まったり、中断したりすることも期待でき、その結果として、被害を最小限に抑えることもできる。
【図面の簡単な説明】
【００１２】
【図１】本発明の実施の形態にかかる撮影装置の設置例を示す斜視図
【図２】本発明の実施の形態にかかる撮影装置の断面図
【図３】本発明の実施の形態にかかる撮影装置の要部斜視図
【図４】本発明の実施の形態にかかる撮影装置の要部断面斜視図
【図５】本発明の実施の形態にかかる撮影装置の制御ブロック図
【図６】本発明の実施の形態にかかる撮影装置のシステム構成図
【図７】本発明の実施の形態にかかる撮影装置の要部ブロック図
【図８】本発明の実施の形態にかかる撮影装置の動作フローチャート
【図９】本発明の実施の形態にかかる撮影装置の動作フローチャート
【図１０】本発明の実施の形態にかかる撮影装置の動作フローチャート
【図１１】本発明の実施の形態にかかる撮影装置の動作フローチャート
【発明を実施するための形態】
【００１３】
以下、本発明の一実施形態を、図面を用いて説明する。
【００１４】
図１において、この玄関内側１近傍における室内２の天井３には、撮影装置４が設置されている。
【００１５】
この撮影装置４は、図２〜図４に示すように、下面が開口した円筒状の取付ベース５と、この取付ベース５の下方に水平方向に回転自在に装着された、上面が開口した円筒状の本体ケース６とにより構成されている。
【００１６】
この内、取付ベース５は取付脚５ａにより取付け高さが可変できる状態で、例えば取付具（図示せず）により、図１のごとく、天井３に取付けられている。
【００１７】
また、取付ベース５の下面中央部には図２、図４のごとく円筒状の軸受け７が固定され、この軸受け７内には回転軸８が回転自在に配置されている。
【００１８】
回転軸８は軸受け７内に対して上下方向への抜け止めがなされた状態で配置されており、その下端部分には図４のごとく回転ベース９が一体化されており、また回転ベース９には取付脚１０を介して本体ケース６が一体化されている。
【００１９】
なお、図３においては、図面の煩雑化を避けるために取付脚１０は図示していないが、この図３の下記架台１１の側方の取付孔１１ａに、取付脚１０上端が図４のごとく挿入されて、取付けが行われるようになっている。
【００２０】
そして、この構成により、本体ケース６は、取付ベース５に対して水平方向に回転自在に配置された状態となっている。
【００２１】
また、取付ベース５には架台１１が取付けられ、この架台１１には監視カメラ１２が取付けられている。
【００２２】
なお、架台１１に対する監視カメラ１２の取付け角度は、図３のつまみ１３で調整することが出来るようになっている。
【００２３】
一方、本体ケース６の底面部分で、監視カメラ１２の取付部とは反対側には、投射器１４が配置されており、この実施形態では、投射器１４からの投射映像は、図１に示すごとく、玄関内側１近傍の床面１５に結像する状態で調整されている。
【００２４】
つまり、この実施形態では、図１の使用者１６が玄関内側１で監視カメラ１２の前に立つと、本体ケース６外面の監視カメラ１２近傍に取付けた監視対象物検出センサー（図５の１７）によって投射器１４が起動され、その結果として監視カメラ１２によって撮影した映像が、玄関内側１の床面１５に投射されるようになっているのである。
【００２５】
使用者１６はその映像を確認し、下駄箱１８上においた撮影ボタン１９を押せば、現在床面１５に投射される映像が図５、図６の送信部２０からサーバー２１に伝送されるようになっている。つまり、サーバー２１側において、アルバムの自動的作成が行われるようになっているのである。
【００２６】
そして、そのような動作を行わせるために、図５に示すように、監視カメラ１２の撮像部２２、投射器１４、監視対象物検出センサー１７、撮影ボタン１９を制御部２３に接続している。
【００２７】
また、制御部２３には初期設定入力部２４、映像処理部２５、メモリ２６等も接続されている。
【００２８】
一方、サーバー２１側においては、監視カメラ１２の送信部２０に接続された通信制御部２７を有し、この通信制御部２７には制御部２８が接続されている。
【００２９】
また、制御部２８には、画像識別部２９、画像蓄積部３０、処理定義部３１、送信部３２が接続されており、さらに送信部３２には図６の携帯電話３３に画像をメール送信するメール送信部３４と、アルバムを作成するためのアルバム生成部３５が接続されている。
【００３０】
なお、処理定義部３１には、図７に示すように、登録家族（家族ＩＤ・名前・画像ファイル名）３６と、ルール定義３７が接続されている。
【００３１】
以上の構成において、図１のごとく撮影装置４を、玄関内側１近傍における室内２の天井３に設置した状態で、初期設定入力部２４により、先ずは初期設定を行う。
【００３２】
この初期設定入力部２４は例えば、下駄箱１８上の撮影ボタン１９近傍に配置されているので、図１の状態で、初期設定入力部２４により制御部２３で登録モードを選択する（図８のＳ１）。
【００３３】
次に、初期設定入力部２４により制御部２３で撮像部２２を駆動し、ズームで使用者１６の顔を検出する（図８のＳ２）。
【００３４】
映像処理部２５により顔検出が出来たことが判明すると、制御部２３は、投射器１４から床面１５への投射映像に顔枠を付す（図８のＳ３）。
【００３５】
この状態になると、使用者１６は下駄箱１８上の撮影ボタン１９を押す（図８のＳ４）。
【００３６】
すると、撮影ボタン１９が押されたことを示す制御信号が制御部２３に入力され、制御部２３は映像処理部２５に１ショット取得指示を出し、その時の１ショット映像はメモリ２６に保存される（図８のＳ５、Ｓ６）。
【００３７】
また、この後、制御部２３は、送信部２０に対して、メモリ２６に保存された１ショット映像に、サービスＩＤを付加し、サーバー２１側に送信する指示を出す（図８のＳ７）。
【００３８】
一方、サーバー２１側の通信制御部２７により、送信部２０からの１ショット映像受信を検出すると（図９のＳ１）、制御部２８は、監視カメラ１２側で付加されたサービスＩＤを確認することで、登録ユーザか否かを判定する（図９のＳ２）。
【００３９】
登録ユーザであれば、サーバー２１側ではサービスＩＤが付加された１ショット映像を、図５、図７の処理定義部３１に保存する（図９のＳ３）。
【００４０】
次に、サーバー２１側の条件入力部３８から、処理定義部３１に保存された１ショット映像に対して図７のごとく家族ＩＤを付加し（図９のＳ４）、これを繰り返すことにより、図７の登録家族（家族ＩＤ・名前・画像ファイル名）３６が作成される。
【００４１】
つまり、図７においては、金谷太郎・金谷花子・金谷一郎・金谷愛子がそれぞれ登録された状態となっている。
【００４２】
続いて、サーバー２１側の条件入力部３８から、登録家族（家族ＩＤ・名前・画像ファイル名）３６に対する、図７に示すルール定義３７を入力する（図９のＳ５）。
【００４３】
例えば、ルール定義３７の（００２）では、金谷愛子の１ショット映像がサーバー２１に送られてきた場合には、その映像を金谷太郎（単身赴任中の父親）に送信するようにルール設定がなされている。
【００４４】
さて、このようにして初期設定が完了すると、１ショット映像からアルバムを残したい使用者１６は、図１のように玄関内側１で監視カメラ１２の前に立つ。
【００４５】
すると、本体ケース６外面の監視カメラ１２近傍に取付けた監視対象物検出センサー（図５の１７）によって投射器１４が起動され、その結果として監視カメラ１２によって撮影した映像が、玄関内側１の床面１５に投射される。
【００４６】
使用者１６は、床面１５に投射された映像を確認し、自分で満足行く状態であれば、下駄箱１８上の撮影ボタン１９を押す。
【００４７】
すると、制御部２３は映像処理部２５に１ショット取得指示を出し、その時の１ショット映像はメモリ２６に保存される。
【００４８】
また、この後、制御部２３は、送信部２０に対して、メモリ２６に保存された１ショット映像に、サービスＩＤを付加し、サーバー２１側に送信する指示を出す。
【００４９】
一方、サーバー２１側の通信制御部２７により、送信部２０からの１ショット映像受信を検出すると、制御部２８は、監視カメラ１２側で付加されたサービスＩＤを確認することで、登録ユーザか否かを判定する。
【００５０】
登録ユーザであれば、サーバー２１側の制御部２８は、その家族のルール定義３７を確認し、このルール定義３７の条件にしたがってアルバム作成指示が出される（図１０のＳ１）。
【００５１】
この時、既に画像蓄積部３０には、今までに撮り集めた映像が蓄積されているので、制御部２８は画像蓄積部３０から家族ＩＤに合致する画像を検索し（図１０のＳ２）、ルール定義３７の条件で定めた指定期間内の画像を抽出し（図１０のＳ３）、送信部３２を介してアルバム生成部３５に渡し、アルバムを作成する（図１０のＳ４）。
【００５２】
また、例えば金谷愛子の１ショット映像を金谷太郎（単身赴任中の父親）に送信するように処理定義部３１のルール定義３７でルール設定していた場合には、サーバー２１側では次のような動作が行われる。
【００５３】
すなわち、サーバー２１側の通信制御部２７により、送信部２０からの１ショット映像受信を検出すると（図１１のＳ１）、制御部２８は、監視カメラ１２側で付加されたサービスＩＤを確認することで、登録ユーザか否かを判定する（図１１のＳ２）。
【００５４】
登録ユーザであれば、サーバー２１側の制御部２８は、その家族のルール定義３７を確認し、このルール定義３７の条件にしたがって画像に時刻情報を付加し、画像蓄積部３０に保存する（図１１のＳ３）。
【００５５】
続いて、画像識別部２９で処理定義部３１の画像（図７の登録家族３６）と一致するか否かを確認する（図１１のＳ４）。
【００５６】
そして、画像識別部２９において一致する画像が存在することが確認されると（図１１のＳ５）、その画像に家族ＩＤを付加し（図１１のＳ６）、続いてルール定義３７で設定したルールを確認し、このルールに従って金谷愛子の画像を、メール送信部３４から、金谷太郎（単身赴任中の父親）に送信する（図１１のＳ７、Ｓ８）。
【００５７】
次に、玄関側から玄関内側１に人が入ってきた状態につい説明する。
【００５８】
このとき、人が玄関内側１に人が入ってきたことは、監視対象物検出センサー１７によってそれが検出され、これによって投射器１４が起動され、その結果として監視カメラ１２によって撮影した映像が、玄関内側１の床面１５に投射される。
【００５９】
この場合、進入者が家族であれば、単に監視対象物検出センサー１７等が適切に稼動していることを確認できるだけに留まるが、不審者であった場合には、不審者は投射器１４から投射させる自分の映像を見ることで、監視されている実態を知り、不正行為を思い止まったり、中断したりすることも期待でき、その結果として、被害を最小限に抑えることもできる。
【００６０】
なお、図５において、動き検知手段３９（これも監視対象物検出センサーの一例となる）を設けると、進入者がドア４０を開いた状態から投射器１４を起動できるようになるので、上記不審者に対して、より早く警告を発することもできるようになる。
【００６１】
具体的には、撮像部２２と捕らえた映像を、映像処理部２５を介して動き検知手段３９に供給すれば、この動き検知手段３９において、映像中に動きがあるか、否かの検出が行われ、つまりドア４０の開放と同時に投射器１４が起動され、その結果として監視カメラ１２によって撮影した映像が、玄関内側１の床面１５に投射される。
【００６２】
この場合、進入者が家族であれば、単に監視対象物検出センサー１７等が適切に稼動していることを確認できるだけに留まるが、不審者であった場合には、この不審者はドア４０を開放したとたんに、投射器１４から投射させる自分の映像を見ることとなり、直ちに監視されている実態を知り、不正行為を思い止まったり、中断したりすることも期待でき、その結果として、被害を最小限に抑えることもできるのである。
【００６３】
また、処理定義部３１のルール定義３７で、図７のごとく、８時３０分から２０時までの間に、動き検知手段３９の検出があった場合には、金谷太郎と金谷花子にメール送信するようにルール設定していた場合には、撮像部２２と捕らえた映像が、送信部２０、サーバー２１を介して、金谷太郎と金谷花子の携帯電話３３に送信される。
【００６４】
なお、上記回転軸８、または回転ベース９を回転させる可動手段（図示せず）を設け、監視対象物検出センサー１７、または動き検知手段３９によって監視対象物を検出した場合に、監視カメラ１２が監視対象物を撮影できるように、可動手段によって監視カメラ１２を追従移動させるようにしてもよい。つまり、監視カメラ１２は本体ケース６とともに、回転することができるようになっているので、このような追従動作も可能となる。
【産業上の利用可能性】
【００６５】
以上のように本発明は、監視カメラで捉えた映像は投射器から投射させるので、この投射器から投射された映像が気に入った場合には、例えば、映された本人自身が撮影ボタンを押せば、その映像が前記本体ケース内に設けた送信部から、本体ケース外の例えば記録手段に送信されるものとなる。
【００６６】
つまり、本人の満足度の高い映像が本体ケース内に設けた送信部から、本体ケース外の例えば記録手段に送信されるので、そこから作成されるアルバムなどは当然のこととして、満足度の高いものなるのである。
【００６７】
また、監視カメラとして動作している状況において、不審者は投射器から投射させる自分の映像を見ることで、監視されている実態を知り、不正行為を思い止まったり、中断したりすることも期待でき、その結果として、被害を最小限に抑えることもできる。
【００６８】
このため、例えばアルバム作成等に用いる撮影装置などとして、広く活用が期待される。
【符号の説明】
【００６９】
１    玄関内側
２    室内
３    天井
４    撮影装置
５    取付ベース
５ａ    取付脚
６    本体ケース
７    軸受け
８    回転軸
９    回転ベース
１０    取付脚
１１    架台
１１ａ    取付孔
１２    監視カメラ
１３    つまみ
１４    投射器
１５    床面
１６    使用者
１７    監視対象物検出センサー
１８    下駄箱
１９    撮影ボタン
２０    送信部
２１    サーバー
２２    撮像部
２３    制御部
２４    初期設定入力部
２５    映像処理部
２６    メモリ
２７    通信制御部
２８    制御部
２９    画像識別部
３０    画像蓄積部
３１    処理定義部
３２    送信部
３３    携帯電話
３４    メール送信部
３５    アルバム生成部
３６    登録家族（家族ＩＤ・名前・画像ファイル名）
３７    ルール定義
３８    条件入力部
３９    動き検知手段
４０    ドア
【図１】
2013038751.tif 000003
【図２】
2013038751.tif 000004
【図３】
2013038751.tif 000005
【図４】
2013038751.tif 000006
【図５】
2013038751.tif 000007
【図６】
2013038751.tif 000008
【図７】
2013038751.tif 000009
【図８】
2013038751.tif 000010
【図９】
2013038751.tif 000011
【図１０】
2013038751.tif 000012
【図１１】
2013038751.tif 000013